(57)【要約】【課題】装置本体部を把持した状態でケラレの発生を回避しつつ、良好な無線通信を行えるようにすること。【解決手段】撮像装置は、レンズ部と、撮像部と、無線通信部を備える。撮像装置本体部の第１の側面部には、撮影者の親指Ｏによって、レンズ光軸と垂直方向に操作されるレリーズノブ９２が操作部材として設けられる。撮影者は、レリーズノブ９２を配置した第１の側面部を親指Ｏで支え、レンズ部を跨いで対向する第２の側面部を、他の指（人差し指）で支えるようにして、撮像装置を把持する。無線通信部５は、レリーズノブ９２の近傍にて、アンテナ部５０１の周囲を撮影者の把持手に覆われることなく無線通信が可能である。【選択図】  図１７
2015023296.tif 000002
【特許請求の範囲】
【請求項１】
レンズ部を備え、装置本体部を構成する複数の側面部のうち、前記レンズ部の光軸を挟んで対向する第１の側面部及び第２の側面部を把持して使用する光学装置であって、
前記第１の側面部に配置された操作部材と、
前記装置本体部の内部における前記操作部材の近傍にアンテナ部が配置された無線通信部と、を備えることを特徴とする光学装置。
【請求項２】
前記光学装置を制御する基板部と、
前記基板部に実装されて前記操作部材の操作により動作する操作スイッチと、をさらに備え、
前記装置本体部の上面方向から見た場合に、前記操作スイッチと前記無線通信部とが重なって配置されることを特徴とする請求項１に記載の光学装置。
【請求項３】
音声信号を出力するマイクと、
前記マイクから前記音声信号を前記基板部へ伝送する配線部材と、
前記無線通信部を保持する、樹脂材料で形成された保持部材と、をさらに備え、
前記装置本体部の上面方向から見た場合に、前記基板部及び配線部材及び保持部材及び無線通信部が重なって配置されることを特徴とする請求項２に記載の光学装置。
【請求項４】
前記配線部材は、前記基板部と前記保持部材との間に配置され、前記無線通信部は前記保持部材に対して前記配線部材とは反対側に配置されることを特徴とする請求項３に記載の光学装置。
【請求項５】
前記無線通信部は、前記基板部に対して傾斜して配置されており、前記アンテナ部を設けた第１の端部と、前記基板部に近接する第２の端部を有することを特徴とする請求項３または４に記載の光学装置。
【請求項６】
前記第２の端部は金属製部材によって保持されることを特徴とする請求項５に記載の光学装置。
【請求項７】
レンズ部と、撮像素子を有する撮像部とを備え、装置本体部を構成する複数の側面部のうち、前記レンズ部の光軸を挟んで対向する第１の側面部及び第２の側面部を把持して使用する撮像装置であって、
前記第１の側面部に配置された操作部材と、
前記装置本体部の内部における前記操作部材の近傍にアンテナ部が配置された無線通信部と、を備えることを特徴とする撮像装置。
【請求項８】
基板部に実装されて前記操作部材により前記レンズ部の光軸と垂直な方向に動作するレリーズスイッチを備えることを特徴とする請求項７に記載の撮像装置。
【発明の詳細な説明】
【技術分野】
【０００１】
本発明は、外部機器と無線通信を行う無線通信部を備える光学装置や撮像装置に関する。
【背景技術】
【０００２】
小型撮像装置は広画角での撮影が可能である。図１８は広角撮影機能をもつ従来のスチルカメラ１０００を示す。広角レンズ１００１は対角画角１００２が略１７０°である。カメラの把持形態において、図示のように撮影者の手によりケラレが起こる場合がある。その対策として、カメラ本体から広角レンズ１００１を、ケラレの生じない位置へ突出させる対策がとられている。しかし、この対策では、広角レンズ１００１がカメラ本体よりも突出するため、装置の小型化の阻害原因となる。小型化対策として、広角レンズのレンズ鏡筒をカメラ本体に対して沈胴させる形態では、レンズ鏡筒の収納時にカメラ本体からレンズ鏡筒部は突出しない。撮影時に撮影者の手によりケラレが起きることなくカメラの小型化が可能となる。しかし、沈胴構造の実現にはレンズ鏡筒の径方向の増加や、アクチュエータを含む沈胴機構部品の追加によるコスト上昇を伴う。
【０００３】
ところで、撮像装置では内部の無線通信部を利用して外部機器と無線通信を行い、撮影中に撮影情報を送信して記録する記録方式（以下、ストリーミングＲＥＣという）が実現される。一般的に無線通信部は、無線通信用電波を遮蔽する金属部材や人体によって無線通信部のアンテナ部が覆われると、電波強度が著しく低下してしまう。この為、撮像装置に無線通信部を配置する場合、アンテナ部の位置が金属部材や撮影者の把持手で覆われない位置に設計することが重要である。特許文献１には、放射電界強度の低下や受信感度の鈍化を抑え、良好な無線通信を行うことができる電子スチルカメラが開示されている。
【先行技術文献】
【特許文献】
【０００４】
【特許文献１】特開２００８−１０９２１５号公報
【発明の概要】
【発明が解決しようとする課題】
【０００５】
広角撮影可能な小型撮像装置の場合に、ケラレの発生を回避しつつ良好な無線通信を行うには、撮影者がカメラ本体を把持した状態でアンテナ部が撮影者の把持手に覆われない状態で撮影が行われるようにするための工夫が必要である。換言すれば、無線通信用電波強度の低下や受信感度の鈍化を抑えるためのカメラの把持形態が求められる。
本発明の目的は、装置本体部を把持した状態でケラレの発生を回避しつつ、良好な無線通信を行えるようにすることである。
【課題を解決するための手段】
【０００６】
上記課題を解決するために、本発明に係る装置は、レンズ部を備え、装置本体部を構成する複数の側面部のうち、前記レンズ部の光軸を挟んで対向する第１の側面部及び第２の側面部を把持して使用する光学装置であって、前記第１の側面部に配置された操作部材と、前記装置本体部の内部における前記操作部材の近傍にアンテナ部が配置された無線通信部と、を備える。
【発明の効果】
【０００７】
本発明によれば、撮影者が装置本体部を把持した状態でケラレの発生を回避しつつ、良好な無線通信を行える。
【図面の簡単な説明】
【０００８】
【図１】図２ないし図１７と併せて本発明の実施形態に係る撮像装置を説明するために、装置本体部の外観を示す斜視図である。
【図２】撮像装置を底面側から見た場合の斜視図である。
【図３】撮像装置の撮影状態を示す斜視図である。
【図４】撮像装置の側面蓋を開いた状態を示す斜視図である。
【図５】撮像装置の把持撮影状態を示す図である。
【図６】撮像装置のシステム構成を示すブロック図である。
【図７】主基板部を示す図である。
【図８】主基板部及びレンズユニットを示す図である。
【図９】主基板部及びレンズユニットを示す模式図である。
【図１０】主基板部及びフロントユニットを示す図である。
【図１１】主基板部及び無線通信部を示す図である。
【図１２】主基板部及び無線通信部を示す斜視図である。
【図１３】無線モジュールを示す図である。
【図１４】無線通信部の分解斜視図である。
【図１５】主基板部及び無線通信部の側面図である。
【図１６】図１３（Ｂ）のδ−δ線で切断した場合の断面図である。
【図１７】主基板部、無線通信部及びレリーズノブを示す図である。
【図１８】従来の撮像装置の把持形態を示す図である。
【発明を実施するための形態】
【０００９】
以下、本発明の実施形態について、図面を参照しながら詳細に説明する。本実施形態では、広角撮影可能な小型で薄型の撮像装置への適用例を示すが、本発明は無線通信機能を有する光学装置や携帯型電子機器等に適用可能である。
本実施形態の説明において、図１（Ａ）に矢印で示す各方向を、Ｘ方向、Ｙ方向、Ｚ方向と定める。Ｘ方向はレンズ部の光軸方向を示し、Ｙ方向はＸ方向に直交し、撮像装置の厚み方向を示す。Ｚ方向は、Ｘ方向及びＹ方向と直交する撮像装置の幅方向を示す。また、撮像装置において被写体側を光軸方向前側とし、レンズ（バリア）側から見た面（図１（Ａ）のＸ方向の手前側から見た面）を正面する。正面と対向する面を背面とし、正面に対して右側から見た面を右側面、正面に対して左側から見た面を左側面とする。正面に対して上側から見た面を天面（上面）とし、正面に対して下側から見た面を底面とする。
【００１０】
まず、図１〜図４に示す外観斜視図を参照して、本実施形態に係る撮像装置の各構成要素及びその機能を説明する。撮像装置本体部（以下、装置本体部という）は薄型で略直方体状に形成されている。撮影者が本体底面側を手掌で包み込むように把持する形態（いわゆるフラットカム）であるため、撮影者の手によるケラレが起こらないという利点がある。
フロントユニット４は撮像装置の正面側に配置される。フロントカバー４０はフロントユニット４の外観を成し、撮像装置の正面側及び天面側を覆う金属製部材である。マイクＲ４２及びマイクＬ４３は撮像装置の正面に配置され、音声入力信号を電気信号に変換する。バリア４１０は撮像装置内部のレンズ部１（図３参照）を保護する。バリア電源ノブ４５は撮像装置の左側面部に配置され、スライド操作によりバリア４１０を開閉すると共に、撮像装置の電源のＯＮ／ＯＦＦ操作に使用する。電源のＯＮ／ＯＦＦ状態に応じてＬＥＤ等の発光部の光は、透明部材で形成された電源ＬＥＤ窓４６から外部へ出射する。フロントカバー４０の天面側に形成されたスピーカー孔４０２は、装置本体部内に配置されたスピーカーが出力する音声を外部へ伝える。表示ユニット７は収納状態において撮像装置の天面に配置される。ＬＣＤ（液晶表示パネル）等を有する表示部７０は、撮影画像や再生画像を表示する。タッチパネル部７１は表示部７０の表面に配置され、ユーザのタッチ操作入力に使用する。
【００１１】
図２に示すボトムユニット８は撮像装置の底面部に配置される。ボトムカバー８０は撮像装置の底面側を覆う外装カバーである。アクセスＬＥＤ窓８１はボトムカバー８０の右側面側に配置された透明部材であり、カード状記録媒体と撮像装置の本体制御部（後述）が通信を行う際に発光するＬＥＤ等の発光部からの光を外部へ導光する。再生ノブ８２（図１（Ｂ）参照）はボトムカバー８０の左側面に配置され、再生モードへの移行時に操作される。スタンドユニット８３はボトムカバー８０の底面に配置されている。バッテリ蓋８４はボトムカバー８０の背面側に配置され、装置本体部に対して開閉可能である。ストラップを装着する為のストラップ穴８０２は、ボトムカバー８０の左右側面の背面側に形成されている。三脚ベース３３は装置本体部の底面に配置され、三脚ネジに締結される雌ネジ部を有する。
撮影時に操作するレリーズノブ９２は、装置本体部の右側面部に配置された操作部材である。装置本体部を構成する側面部のうち、レリーズノブ９２を配置した右側面部を第１の側面部とし、第１の側面部に対してレンズ部１の光軸を挟んで対向する左側面部を第２の側面部とする。蓋９３は装置本体部の右側面部に配置され、蓋９４は装置本体部の左側面部に配置され、いずれも装置本体部に対して開閉可能である。
【００１２】
図３〜図５を参照して、撮像装置における各可動要素を操作した後、撮影を行う際の様子を説明する。図３（Ａ）は、図１（Ａ）の状態から、バリア４１０を開状態に操作し、表示ユニット７及びスタンドユニット８３を所定量だけ開いた状態を示す斜視図である。レンズ部１は被写体の光学情報を得る為の複数のレンズ群で構成される。ヒンジ部７２により、表示ユニット７は装置本体部に対して回転移動可能に取り付けられる。第２回転軸７２１は、表示部７０及びタッチパネル部７１をヒンジ部７２に対して回転可能に取り付ける。トップカバー７３は、ヒンジ部７２に締結され装置本体部に固定される。
【００１３】
次に、画像撮影時の動作を説明する。
撮影者がバリア電源ノブ４５をスライド操作すると、バリア４１０は装置本体部内に収納される。装置本体部内のバリア検知スイッチ（後述）はバリアが開かれたことを検知し、本体制御部（後述）が撮像装置の電源を投入する。バリア４１０が開くことで、図３（Ａ）に示すようにレンズ部１が露出する。レンズ部１に被写体からの光が入射し、撮像部に結像する。撮像部は光像を電気情報（画像情報）へ光電変換し、後述の主基板部へ出力する。画像情報は表示ユニット７へ伝達され、表示部７０は画像を表示する。
図３（Ａ）に示すように、表示ユニット７は装置本体部に対して回転可能に構成される。ヒンジ部７２は本体内部の背面側の締結部によって装置本体部に締結される。また、ヒンジ部７２はこの締結部近傍に第１回転軸（不図示）を有し、装置本体部に対する表示ユニット７の回転を可能にする。撮影者は表示ユニット７を回転させることで、表示内容を見やすい位置に調整可能である。
図３（Ｂ）は、図３（Ａ）の状態から表示ユニット７を装置本体部に対してさらに回転させ、略９０°の角度にした後、第２回転軸７２１により表示部７０をヒンジ部７２に対して１８０°の角度に回転させ、表示部７０が撮像装置正面側に向いた状態を示す。この状態ではレンズ部１と表示部７０が同じ方向を向く。撮影者がレンズ側にいる状態で撮影を行う場合（自分撮り）、撮影画像を表示部７０で確認しながら撮影できるので便利である。
【００１４】
図４は、撮像装置の側面部にそれぞれ配置された蓋部材を開いた状態を示す。図４（Ａ）に示すサイドカバー９０は、装置本体部の右側面側の外観を成す外装部材である。外部機器と情報通信を行う情報通信端子３０９は、サイドカバー９０に設けられた開口部より露出する。カードコネクタ３１０は、サイドカバー９０に設けられた開口部より露出し、カード状記録媒体を装着することでデータの読み書きが可能である。
装置本体部の右側面に配置された蓋９３を開くと、情報通信端子３０９及びカードコネクタ３１０が露出した状態となる。蓋９３は、底面側にエラストマーで形成されたヒンジ部が設けられており、このヒンジ部により装置本体部に対して開閉可能である。情報通信端子３０９及びカードコネクタ３１０は、後述するメイン基板３０に実装され、本体制御部によって各情報が制御される。情報通信端子３０９は、例えば、ＵＳＢ（Universal Serial Bus）端子などである。情報通信ケーブルの一端部を情報通信端子３０９に装着し、他端部をコンピュータなどの外部機器に装着することで、撮像装置と外部機器との間で情報通信が可能となる。カードコネクタ３１０には、カード状記録媒体を挿入することで撮影画像データを記録可能である。また、カード状記録媒体に記録されている撮影画像データを読み出し、撮像装置で再生画像を表示して視聴できる。尚、情報通信端子３０９及びカードコネクタ３１０は、装置本体部の右側面部において、Ｘ方向の中央付近に配置される。
【００１５】
図４（Ｂ）は、撮像装置の左側面部に配置された蓋９４を開いて、ＤＣ端子３０７と映像端子３０８を露出させた状態を示す。蓋９４は、底面側にエラストマーで形成されたヒンジ部が設けられており、このヒンジ部により装置本体部に対して開閉可能である。ＤＣ端子３０７及び映像端子３０８は後述するメイン基板３０に実装されている。ＤＣ端子３０７は外部より電源を供給する為の端子であり、ＤＣケーブルの一端部を装着し、他端部を外部電源に装着することで、撮像装置に外部からの電源を供給可能である。
映像端子３０８に映像通信ケーブルの一端部を装着し、他端部をテレビジョン装置などの外部機器に装着することにより、撮像装置と外部機器との間で映像情報の通信が可能である。ＤＣ端子３０７及び映像端子３０８は、装置本体部の左側面側において、Ｘ方向の中央付近に配置される。
【００１６】
図５は、撮像装置の把持形態を示す。図５（Ａ）は、撮影者が左手で撮像装置を把持して撮影を行う場合の斜視図である。図５（Ｂ）は、撮影者が左手で撮像装置を把持して撮影を行う場合の底面図である。
図５（Ａ）にて撮影者は、左手親指Ｏとの左手人差し指Ｈで撮像装置を把持した状態で、右手人差し指ＭＨでタッチ操作を行う。図５（Ａ）は、撮像装置の底面部を左手掌上に載せて、左手で包み込むように把持した状態を示す。この時、撮影者の親指Ｏは、撮像装置の右側面部（第１の側面部）の正面寄りに配置されたレリーズノブ９２を操作可能な位置にある。レリーズノブ９２は、撮影時に使用する操作ノブであり、その押圧操作によって撮影が行われる。一方、撮影者の左手人指し指Ｈは、レリーズノブ９２とレンズ部を跨いで対向する撮像装置の左側面部（第２の側面部）のバリア電源ノブ４５付近に添えられ、装置本体部を支えている。また撮影者は、左手で撮像装置を把持した状態にて、右手人差し指ＭＨで表示部７０のタッチパネル部７１を操作できる。
このような把持形態によれば、撮影画像に撮影者の把持手が写り込んでしまうという問題を回避できる。また、撮像装置の幅方向（Ｚ方向）寸法については、左手親指Ｏと人差し指Ｈで挟みやすい寸法（７０ｍｍ前後）に設定されている。
【００１７】
図５（Ｂ）は、図５（Ａ）の状態を底面側から見た場合の底面図である。撮像装置の右側面部の一部は親指Ｏで覆われ、左側面部は左手人差し指Ｈと他の指で覆われる。また、撮像装置の底面部は所定の範囲に亘って、左手掌で覆われる。底面部はレンズ部１の光軸方向と平行な方向であって、撮像装置の右側面部（第１の側面部）および左側面部（第２の側面部）に対して略直交する方向に延在する側面部である。図５（Ｂ）の状態にて底面部のうち、左手親指Ｏと左手人指し指Ｈとの間の略三角形を成すスペース（Ｗで示す範囲）は、撮影者の把持手がかかっておらず、外部に露出していることがわかる。後述するが、範囲Ｗに対応する装置内部には無線通信部５が配置されている。
【００１８】
次に、図６に示すブロック図を参照して、撮像装置のシステム構成を説明する。尚、図６に示す構成要素において、複数の構成部からなる要素には、「＊」印を付している。
レンズユニットはレンズ部１とセンサ部２から構成される。レンズ群を有するレンズ部１に入射した光は、センサ部２が受光して光電変換により光像を電気信号（画像情報）へ変換する。センサ部２は、撮像素子であるセンサ２００を備える。
装置本体部は主基板部３を有する。主基板部３は、本体制御部＊ｗとメモリ部＊ｍを備える。本体制御部＊ｗは、画像及び音声情報の入出力、圧縮及び変換等の画像処理、記録及び再生等の処理を、メモリ部＊ｍと通信しながら行う。本体制御部＊ｗは、後述するメインＩＣ３０１、電源ＩＣ３０２、オーディオＩＣ３０３等の信号処理ＩＣを含む。センサ部２が光電変換により出力した画像信号は、本体制御部＊ｗに伝達される。本体制御部＊ｗは画像信号に対して画像処理等を行う。また本体制御部＊ｗは画像情報に応じて、絞りユニットを制御し、撮像画像の明度調整を行う。画像記録時には本体制御部＊ｗが、外部記憶装置部３２０に画像情報を出力してカード状記録媒体へ撮影した画像データを記録させる。
【００１９】
操作部＊ｒは、レリーズノブ９２、再生ノブ８２等の操作部材を有する。各操作部材が操作されると、主基板部３に実装された後述のレリーズスイッチ３１１、再生スイッチ３１３等の操作信号が検出される。本体制御部＊ｗは操作信号に基づき、画像記録モードや再生モード等へのモード切り替えを行う。
発光部＊ｓは、後述する電源ＬＥＤ３０５、アクセスＬＥＤ３１４等を有する。本体制御部＊ｗは、電源のＯＮ操作や外部記憶装置部３２０との通信情報に応じて各発光部の発光制御を行う。各ＬＥＤ素子による光は、透明材料で形成された電源ＬＥＤ窓４６やアクセスＬＥＤ窓８１を通して出射される。電源部＊ｔは、ＤＣ端子３０７、バッテリ端子３０６等を有する。ＤＣ端子３０７には外部電源ケーブルを介して外部電源より電力が供給される。バッテリ端子３０６には後述するバッテリ６０より電力が供給される。電源部＊ｔが得た電力は本体制御部＊ｗに供給される。本体制御部＊ｗは、各駆動要素に必要な電圧への電圧変換を行い、各部へ給電する。
【００２０】
検知部＊ｕは、後述するバリア検知スイッチ３１２等を備える。バリア検知スイッチ３１２は、バリア電源ノブ４５の開閉操作によるバリア４１０の開閉状態を検知する。バリア４１０の開閉検知情報は本体制御部＊ｗへ伝達される。本体制御部＊ｗは、バリア４１０の開閉検知情報に応じて撮像装置の電源のＯＮ・ＯＦＦ制御を行う。外部接続端子部＊ｖは、映像端子３０８や情報通信端子３０９等を有する。外部接続端子部＊ｖに外部接続ケーブルが接続されると、その接続を各接続端子により検知し、本体制御部＊ｗは、接続された外部接続ケーブルに応じて画像情報の入出力等の制御を行う。
【００２１】
無線通信部５は後述する無線モジュール５０を有する。無線モジュール５０は外部無線機器と、無線通信により情報を送受信するための無線通信回路部である。無線モジュール５０は、無線通信による情報を本体制御部＊ｗに出力する。本体制御部＊ｗは、画像情報の入出力等の無線通信制御を行う。
表示ユニット７はパネル基板部Ｐを有する。パネル基板部Ｐは本体制御部＊ｗと電気的に接続され、本体制御部＊ｗとの間で情報伝達を行う。例えば、レンズユニットで撮影される画像情報を本体制御部＊ｗが取得して画像処理を行う。その後、本体制御部＊ｗはパネル基板部Ｐへ処理済みの画像情報を伝送する。パネル基板部Ｐは取得した画像情報を処理した後、表示部７０へ伝送し、表示部７０は撮影画像を表示する。また、撮影者が表示部７０に設けたタッチパネル部７１を操作した場合、その操作情報はパネル基板部Ｐへ伝達される。パネル基板部Ｐから本体制御部＊ｗへ操作情報が伝送されると、本体制御部＊ｗは操作情報に応じて各構成要素を制御する。
【００２２】
次に、主基板部３の構成について説明する。図９は、レンズ部１及びセンサ部２を含むレンズユニットと、主基板部３との配置関係を模式的に示す。図９（Ａ）は、レンズユニットと主基板部３との位置関係を天面側から見た場合の図である。図９（Ｂ）は、レンズユニットと主基板部３との位置関係を正面側から見た場合の図である。尚、図９（Ａ）では主基板部３の各要素を透視図として表裏関係なく示している。
図９（Ｂ）に示すように、主基板部３はレンズ部１の高さ方向における寸法Ｖの範囲内において、センサ部２と垂直に配置される。ここで、レンズユニットの背面側において、単純に矩形状の主基板部３を背面側に延伸させる方向へ配置したのでは、レンズユニットの左右のスペースを有効に活用し難くなる。特に、図５に示す把持形態の装置では、左右側面部の範囲に操作系の要素の配置が望まれる。レンズユニットの左右スペースを活用しようとして、例えば、操作系専用の基板を別途に配置すると、部品点数及び工数が増加し、コストアップの原因となる。そこで、本実施形態の主基板部３は、図９（Ａ）に示すように、レンズユニットの左右側面及び背面側の３辺を、コの字状に囲む配置とすることで、レンズユニットの左右のスペースを有効に活用できる。しかも、主基板部３の実装面積を確保できる。また、主基板部３は後述する切り欠き（図７（Ａ）のＰ，Ｑ参照）の形成により、略Ｈ形状を成している。
【００２３】
次に、図７を参照して、主基板部３を詳細に説明する。図７（Ａ）は、主基板部３を撮像装置の天面側から見た場合の上面図である。図７（Ｂ）は、主基板部３を撮像装置の底面側から見た場合の下面図である。以下では、主基板部３の図７（Ａ）面視側を表面と称し、図７（Ｂ）面視側を裏面と称する。主基板部３は領域Ｊ，Ｋ，Ｌ，Ｍを有する。また領域Ｊ，Ｋ，Ｌ，Ｍ以外の、略矩形に広い面積を有する領域を、領域Ｕと称する。領域Ｐは領域ＪとＫとの間のスペースを表し、領域Ｑは領域ＬとＭとの間のスペースを表す。領域Ｕを中心に見た場合、領域Ｊ（延伸部），Ｋ，Ｌ，Ｍは各々、領域Ｕの４隅にてＸ方向に延伸された領域を成す。また、主基板部３の最大外形（略正方形の形状）に関して、領域Ｐ及び領域Ｑは各々、領域ＪとＫとの間及び領域ＬとＭとの間で主基板部３を切り欠いた部分に相当する。以下では領域Ｐ及び領域Ｑを、切り欠きＰ及び切り欠きＱと称する。
【００２４】
図７にて、メイン基板３０は各ＩＣ、コネクタ、端子等の主基板部３の各構成要素を実装するプリント基板である。メインＩＣ３０１は画像処理や圧縮及び記録等の主要な情報処理及び制御を行う。電源ＩＣ３０２は電源制御を行う。オーディオＩＣ３０３は、マイクより入力される音声信号に対してＡ／Ｄ変換等の音声信号処理を行う。センサ凹コネクタ３０４は、センサ基板に実装されたセンサ凸コネクタと嵌合する接続部材である。電源ＬＥＤ３０５は電源のＯＮ／ＯＦＦ状態に応じて点消灯する。バッテリ端子３０６は、バッテリから電源を受給する端子である。ＤＣ端子３０７は外部電源を受給する端子である。映像端子３０８は外部機器へ撮像画像を出力する。情報通信端子３０９は外部機器との間で画像情報等の入出力を行う。カードコネクタ３１０は、カード状記録媒体を装着して情報の読み書きを行うための接続部材である。レリーズスイッチ３１１は撮像画像を記録する際にユーザが操作する操作スイッチである。バリア検知スイッチ３１２はバリア４１０の開閉を検知する。再生スイッチ３１３は再生モードへと移行させる際にユーザが操作する。アクセスＬＥＤ３１４は、カード状記録媒体との通信の有無及び通信状態に応じて点消灯する。絞りＦＰＣ（フレキシブルプリント基板）コネクタ３１５は絞りＦＰＣ１０６（図８（Ｂ）参照）と接続される。無線ＦＰＣコネクタ３１６は後述する無線ＦＰＣ５３と接続される。マイクワイヤーコネクタ３１７は後述するマイクワイヤー４４と接続される。ダンパー部材３６はメイン基板３０の表面側に貼り付けられるスポンジ等の弾性部材である。
【００２５】
図７（Ａ）において、メインＩＣ３０１はメイン基板３０の領域Ｕの表面側にて中心部に配置される。メインＩＣ３０１は、主基板部３の構成要素と電気的に接続され、各構成要素を電気的に制御する。
領域Ｕにはバッテリ端子３０６、ＤＣ端子３０７、映像端子３０８、情報通信端子３０９、カードコネクタ３１０等が配置される。各要素は、メイン基板３０への実装にあたり、その周辺回路を含めた所定の面積を必要とする。例えば、カードコネクタ３１０は図７（Ｂ）に示すように、左右方向に所定の長さを有する。また、バッテリ端子３０６やＤＣ端子３０７は、バッテリ及び外部電源から電源を受給し、電源信号を伝える電源パターンは他のメイン基板要素の信号パターンに影響を及ぼす場合がある。この為、電源信号は、電源受給後、直ちに電源ＩＣ３０２に伝送し、電源制御される。バッテリ端子３０６やＤＣ端子３０７は、電源ＩＣ３０２とセットで各々近傍に配置される必要があり、メイン基板３０にこれらの要素を配置する際、所定の面積を確保する必要がある。情報通信端子３０９や映像端子３０８も同様に、各端子の近傍にて各端子からの信号を制御するＩＣを配置する必要がある為、所定の面積が必要となる。このような理由から、主基板部３の構成要素は、比較的広い面積を有する領域Ｕに配置される。
【００２６】
次に、領域Ｊ，Ｋ，Ｌ，Ｍへの、主基板部３の構成要素の配置を説明する。これらの領域は、切り欠きＰ，Ｑの形成により、比較的狭い面積からなる領域である。この為、領域ＪないしＭは、各要素を単独で完結できる、回路規模の小さい構成要素の配置に適する。さらに、領域ＪないしＭは、撮像装置の左右側面部と近接する部位を含むので、外部とのインタフェース要素の配置に適する。
図７（Ａ）及び図７（Ｂ）にて、領域Ｊ（延伸部）には、レリーズスイッチ３１１、マイクワイヤーコネクタ３１７、オーディオＩＣ３０３、絞りＦＰＣコネクタ３１５が配置される。また、領域Ｋには電源ＬＥＤ３０５、バリア検知スイッチ３１２、領域ＬにはアクセスＬＥＤ３１４、領域Ｍには再生スイッチ３１３が配置される。発光部（電源ＬＥＤ３０５／アクセスＬＥＤ３１４）、操作スイッチ類（レリーズスイッチ３１１／バリア検知スイッチ３１２／再生スイッチ３１３）は大規模な周辺処理回路を必要としない。これらは、単独で完結可能であって、ユーザインタフェース要素である為、領域ＪないしＭへの配置に最適である。マイクワイヤーコネクタ３１７及びオーディオＩＣ３０３に関しては、セットで近傍に配置する必要がある為、所定の面積を要する。これらの要素を領域Ｊに配置する有効性に関しては、後述する。
バッテリ６０（図９（Ａ）参照）は、切り欠きＱ部の内側において、メイン基板３０の主面に対し、所定の角度をもって傾斜して配置される。
【００２７】
次に、レンズユニットとメイン基板の位置関係を説明する。
図８（Ａ）は、レンズユニットと主基板部３との位置関係を表した上面図である。図８（Ｂ）は、レンズユニットと主基板部３との位置関係を表した下面図である。メイン基板３０は、その主面（実装面）が、センサ基板の主面（センサ２００の実装面）と垂直となる方向へ配置される。
主基板部３は、レンズユニットの左右側面及び背面の３辺を、コの字状に囲んでいる。レンズユニットは、メイン基板３０の切り欠きＰ内に配置される。図８（Ｂ）に示すように、レンズユニットの右側面側にて延伸された領域Ｊには、レリーズスイッチ３１１が撮像装置の右側面側に臨んで配置される。レリーズスイッチ３１１は光軸に対して垂直（図中の矢印方向）に操作されるスイッチである。レリーズスイッチ３１１は、図１７（Ｂ）にて後述するレリーズノブ９２と対向する位置にある。図１７（Ｂ）における撮影者の親指Ｏによって、レリーズノブ９２が操作され、レリーズスイッチ３１１がオン動作する。
以上のように、レンズ部１の光軸側方にて、撮影時に使用される操作スイッチは、光軸と垂直な方向に操作させるように配置される。このため、撮影時のスイッチ操作による、レンズ部１の光軸の回転方向への移動を防止できる為、撮影操作時のブレを低減できる。また、撮像装置の把持形態において、レリーズスイッチ３１１の領域Ｊへの配置は、撮影者が親指で操作する場合に操作上最適である。図１７に示すように、レリーズスイッチ３１１を操作する面と対向する面については、撮影者の人差し指にて支えることになるため、レリーズスイッチ３１１の撮影操作時のブレを低減できる。また、操作スイッチ専用の他基板を用いることなく、領域Ｊ（延伸部）にレリーズスイッチ３１１を実装することで、コストダウンに繋がる。
【００２８】
次に、領域Ｊにおけるマイクワイヤーコネクタ３１７及びオーディオＩＣ３０３の配置について説明する。図９（Ａ）に示すように、領域Ｊの先端（撮像装置正面側）には、マイクＬ４３が配置される。マイクワイヤー４４は、マイクＲ４２及びマイクＬ４３からそれぞれ延出される配線部材であり、破線で図示している。尚、マイクＲ４２及びマイクＬ４３に従って、マイクワイヤー４４Ｒとマイクワイヤー４４Ｌとを区別する。
マイクＲ４２及びマイクＬ４３で集音された音声は、アナログ音声信号としてマイクＲ４２及びマイクＬ４３から出力される。他の電気信号の影響により、アナログ音声信号にノイズが混入すると、音声信号品質が劣化する可能性がある。そのため、メイン基板３０の内部にて信号線パターンとして引き廻すことは好ましくない。また、マイクからメイン基板３０までのマイクワイヤー４４による接続距離を、極力短縮することが望まれる。
そこで本撮像装置では、マイクＬ４３に向けて延伸させた領域Ｊにマイクワイヤーコネクタ３１７を配置している。マイクＬ４３のアナログ音声信号は、メイン基板３０の内部を引き廻されることなく、マイクワイヤー４４Ｌによって、マイクワイヤーコネクタ３１７に直近で接続される。
【００２９】
一方、マイクＲ４２側にはバリアユニットを駆動させるバリア駆動部４１１が配置される。この為、マイクＲ４２側ではメイン基板３０を、マイクＲ４２に向かって十分に延伸することができず、領域Ｋの面積も広く設定できない。この為、バリア駆動部４１１とレンズ部１を跨いで反対側に位置する領域Ｊに、マイクワイヤーコネクタ３１７及びオーディオＩＣを配置するのが適切である。マイクＲ４２から延出されるマイクワイヤー４４Ｒは、マイクワイヤーコネクタ３１７が実装される領域Ｊに向かってレンズ部１を跨ぎ、マイクワイヤー４４Ｌ側へ引き廻される。図１０（Ｂ）に示すように、マイクワイヤー４４Ｒは、レンズ部１の天面側を跨いで、マイクワイヤー４４Ｌと合流する。マイクワイヤー４４Ｒは、センサ部２等のノイズ源を避けた経路でマイクワイヤー４４Ｌと合流する。両ワイヤーをマイクワイヤーコネクタ３１７に接続することにより（図１０（Ａ）参照）、ワイヤー接続の作業工数を削減できる。図１０（Ｂ）にて、太い破線で示す部位はバリア駆動部４１１を表している。
【００３０】
図８（Ａ）に示すように、オーディオＩＣ３０３及びその周辺回路は、メイン基板３０の表面側の領域Ｊに配置される。マイクワイヤーコネクタ３１７とオーディオＩＣは領域Ｊにおいて表裏の位置関係で配置される。領域Ｊの片面側にマイクワイヤーコネクタ３１７を配置し、他面側にオーディオＩＣ３０３を配置することで、両者を接近させて配置できる。マイクＲ４２及びマイクＬ４３により集音された各アナログ音声信号は、マイクワイヤーコネクタ３１７に伝達され、直ちに、真裏に配置されたオーディオＩＣ３０３に入力される。アナログ音声信号は、オーディオＩＣ３０３及びその周辺回路でＡ／Ｄ変換される。変換されたデジタル音声信号は、他の信号の影響を受けにくくノイズに強い為、メイン基板３０内の信号パターンを介しても問題はなく、メインＩＣ３０１に入力される。
このように、マイクＬ４３に向けて延伸されたメイン基板３０の領域Ｊに、マイクワイヤーコネクタ３１７を配置することで、マイクＬ４３とメイン基板３０との間の、マイクワイヤー４４による接続距離を短縮できる。よって、マイクから出力されるアナログ音声信号の信号品質の劣化防止と、マイクワイヤー４４自体の短縮によるコストダウンに繋がる。さらには、オーディオＩＣ３０３を、マイクワイヤーコネクタ３１７と表裏の位置関係で配置することによって、アナログ音声信号を直ちにオーディオＩＣでＡ／Ｄ変換可能であるので、音声信号の品質劣化を防止できる。
【００３１】
図８（Ｂ）に示すように、絞りＦＰＣコネクタ３１５はメイン基板３０裏面側の領域Ｊに配置され、絞りＦＰＣ１０６と接続される。領域Ｊはレンズ部１の側面近傍の領域を含む為、この位置で絞りＦＰＣ１０６を接続させることで、絞りＦＰＣ１０６の接続距離を短縮できるので、コストダウンに寄与する。
図１０（Ａ）は、フロントユニット４を取り付けた状態を示す底面図である。図１０（Ｂ）は、フロントカバー４０と、フロントユニット４の構成部品の一部を非表示にした状態を示す図である。
組み立て工程の順番としては、フロントユニット４に対して、先にレンズユニットを組み込んでもよい。また、メイン基板３０は、単独でメインホルダ３１に締結して一体化しておいてもよい。このような組み立て工程によると、レンズユニットが組み込まれたフロントユニット４に対して、メイン基板３０が一体化されたメインホルダ３１を組み込むこととなる。三脚ベース３３はこの状態において、メインホルダ３１に対して組み込むことができる。
【００３２】
図１０（Ａ）に示すボス４０１は、フロントユニット４に含まれる２本のフロントユニット位置決め用のボスである。メインホルダ３１は、フロントユニット４に対して底面側から組み込まれ、ボス４０１にて位置決めされる。この状態で、メインホルダ３１は、メイン基板ビス３５によって、フロントユニット４に対して締結固定される。ここで、マイクＲ４２から延出されるマイクワイヤー４４Ｒと、マイクＬ４３から延出されるマイクワイヤー４４Ｌとが合流した、マイクワイヤー４４が、主基板部３のマイクワイヤーコネクタ３１７に接続される。図１０（Ｂ）に示すように、フロントユニット４の内部には、バリア駆動部４１１が配置される。バリア駆動部４１１において、バリア４１０は、バリア電源ノブ４５を介して駆動される。また、スピーカー部はフロントユニット４の内部において、天面側に向かって保持される。
【００３３】
次に、無線通信部５の配置及び構造について説明する。
無線通信部５は、アンテナ部より放射状に無線通信用電波を送信することで、外部機器と無線通信を行う。近年の撮像装置では、ストリーミングＲＥＣが実現されている。
一般的に無線通信部は、無線通信用電波を遮蔽する金属部材や人体によってアンテナ部が覆われると、電波強度が低下する可能性がある。この為、撮像装置において無線通信部５を配置する場合には、アンテナ部を金属部材や撮影者の把持手で覆われない位置に配置することが非常に重要である。本実施形態に係る撮像装置は、天面側が金属外装（フロントカバー４０）と表示ユニット７によって覆われる。また図５（Ｂ）に示すように、底面側の大部分は、撮影者の把持手によって覆われる。そこで、図５（Ｂ）に示す領域Ｗの装置内部に無線通信部５を配置する構造が採用される。
【００３４】
以下に、無線通信部５の構造を説明する。尚、図１３（Ｂ）に示す無線モジュール５０にて上側の端を前端部とし、下側の端を後端部と称する。また、同図における紙面表面側を表面とし、紙面裏側を裏面と称する。
図１１（Ａ）は、図１０（Ａ）の状態から、無線通信部５の構成要素を組み込んだ状態を表した底面図である。図１１（Ｂ）は、図１１（Ａ）に示す円形枠Ｉ部の詳細図である。また、図１２は図１１（Ａ）の状態での斜視図である。
図１１（Ｂ）において、無線ホルダ５１は無線モジュール５０の前端側部分を保持する保持部材である。２本の無線ホルダ位置決めボス５１０は、無線ホルダ５１よりメイン基板３０（紙面裏側）へ向かって突出している。無線モジュール５０の位置決めボス５１１は、無線ホルダ５１より底面方向（紙面表側）へ突出している。無線モジュール受け部５１２は、無線ホルダ５１より底面方向（紙面表側）へ突出している。無線ホルダビス５１３は無線ホルダ５１を締結する部材である。
【００３５】
無線ホルダ５１は、２本の位置決めボス５１０によって、メイン基板３０に対して位置決めされる。その後、無線ホルダビス５１３によって、図示しないフロントユニット４の締結部に対してメイン基板３０と共に締結される。この時、マイクワイヤー４４は、無線ホルダ５１の空隙部に収納される。図１１（Ｂ）に破線で示すマイクワイヤー４４の部位は、無線ホルダ５１に覆われている範囲である。無線ホルダ５１は透明な樹脂材料で形成されている為、マイクワイヤー４４の収納状態を目視で確認可能である。
図１１（Ｂ）に示す保持板金５２は無線モジュール５０の後端側部分を保持する金属製部材である。無線モジュール位置決めリブＲ５２１は保持板金５２より紙面左側に突出している。保持板金５２は、三脚ベース３３に対して図示しない締結部にて締結され、三脚ベース３３と電気的に導通される。無線位置決めリブＲ５２１は、保持板金５２の一側面から、図中左方向に突出して形成される。三脚ベース３３には、無線位置決めリブＬ３３１が形成され、図中右方向に突出している。
【００３６】
図１３（Ａ）は、図１１（Ａ）の状態から、無線モジュール５０を取り付けた際の様子を表した底面図である。図１３（Ｂ）は、図１３（Ａ）における円形枠Ｉ部の詳細図である。図１４は、無線通信部５と、図１７に示すレリーズノブ９２及びサイドカバー９０を示す分解斜視図である。
図１３（Ａ）に示すように、無線モジュール５０はメイン基板３０の領域Ｊ付近の底面側においてメイン基板３０と重なった状態で配置される。図１３（Ｂ）において、略矩形を成す基板上にアンテナ部５０１、無線モジュールコネクタ５０２、及び図示しない無線制御ＩＣ等が実装され、無線モジュール５０が構成される。無線ＦＰＣ５３は、一端側の部分が無線モジュール５０に実装された無線モジュールコネクタ５０２と接続される。無線ＦＰＣ５３の他端側部分はメイン基板３０に実装された無線ＦＰＣコネクタ３１６と接続されることで、無線モジュール５０とメイン基板３０とを相互に情報通信可能とする。
【００３７】
無線モジュール５０は、前端部の表面側にアンテナ部５０１が配置され、後端部の裏面側に図示しないグランド接続部が配置されている。図１３（Ｂ）に示すように、無線モジュール５０は、前端部側で無線ホルダ５１の位置決めボス５１１と嵌合する。また、後端部側では、無線位置決めリブＲ５２１と、無線位置決めリブＬ３３１とによって、無線モジュール５０の後端側部分が挟まれて回転止めされることで、無線モジュール５０の位置が決まる。この状態において、無線モジュール５０は、保持板金５２に対して、無線ホルダビス５１３によって締結される。この時、無線モジュール５０の後端部の裏面側に設けた図示しないグランド接続部と、保持板金５２とが接続され、両者の間で電気的導通が確保される。一方、無線モジュール５０の前端部側の部分にはアンテナ部５０１が配置される。無線ホルダ５１は樹脂材料で構成されている為、無線通信用電波に影響を与える虞はない。
【００３８】
次に、撮像装置における無線通信部５の配置及び構造上の課題に関して説明する。
先ず、第１の課題について説明すると、無線モジュール５０のアンテナ部５０１から放射される無線通信用電波は、アンテナ部５０１から球面波状に放射される。つまり、図１３（Ｂ）において、無線通信用電波は、紙面表側だけでなく紙面裏側にも放射されることとなる。撮像装置の底面側（図１３（Ａ）の紙面表面側）に、無線通信用電波が放射される場合、ある方向の電波強度が下がると、他方向の電波強度にも影響を与えてしまうという特性がある。この為、図１３（Ａ）における、紙面裏側での電波強度にも注意が必要となる。しかしながら、前述したように、無線モジュール５０はメイン基板３０と重ねて配置される。この為、図１３（Ａ）における無線モジュールの紙面裏側において、無線モジュール５０とメイン基板３０が近接する場合、無線モジュール５０の電波強度がメイン基板３０の影響を受けて低下する虞がある。
【００３９】
次に第２の課題について説明する。前述したように、マイクワイヤー４４を通る音声信号はアナログ信号である為、他の信号の影響を受け易い。マイクワイヤー４４と無線モジュール５０のアンテナ部５０１とが接近してしまうと、無線モジュール５０の無線通信用電波がマイクワイヤー４４に影響することで、ノイズとして出力される虞がある。
図１５及び図１６を参照しながら、前記第１および第２の課題への対策を講じた無線通信部５の構造について詳細に説明する。
図１５は、図１３（Ａ）の状態を右側から見た側面図である。無線モジュール５０のアンテナ部５０１の付近は、無線ホルダ５１の無線モジュール受け部５１２によって、メイン基板３０に対して寸法ｄの距離で離間している。さらに、この寸法ｄの範囲内に、レリーズスイッチ３１１が配置されている。
【００４０】
無線モジュール受け部５１２は、無線モジュール５０の前端側より後端側に向かって、メイン基板３０に近接する方向に傾斜している。これにより、無線モジュール５０は前端側、つまりアンテナ部５０１を設けた第１の端部側の部位にてメイン基板３０と離間される。また、無線モジュール５０は後端側、つまり、グランド接続部を設けた第２の端部側の部位でメイン基板３０に近接する。このように無線モジュール５０は傾斜して配置される。本構成により前記第１の課題が解決される。すなわち、第１の端部側ではアンテナ部５０１をメイン基板３０から離間させつつ、第２の端部側では撮像装置の底面側スペース（図１５中の領域Ｎ）を有効に活用することができる。この領域Ｎには、ボトムカバー８０のスタンド凹部８０１（図１７参照）が配置される。
また、無線モジュール５０の前端部において、寸法ｄの範囲内にレリーズスイッチ３１１が配置されている。図１３（Ｂ）にて、装置本体部の上面方向から見た場合に、レリーズスイッチ３１１と無線モジュール５０とが重なって配置される。無線通信部５とレリーズスイッチ３１１との配置構成において、図１３（Ｂ）の左右方向（Ｚ方向）にて装置の小型化が可能となる。
【００４１】
図１６は、図１３（Ｂ）に示すδ−δ線に沿う面で切断して、右側からみた場合の断面図である。図１６において、空隙部ｆは、メイン基板３０に取り付けられた無線ホルダ５１によって形成される。間隔ｇは、無線ホルダ５１と無線モジュール５０との離間距離を表す。マイクワイヤー４４は、無線ホルダ５１とメイン基板３０との間の空隙部ｆ内に収納される。マイクワイヤー４４は、この空隙部ｆを通過してから、メイン基板３０のマイクワイヤーコネクタ３１７に接続される。
このように、マイクワイヤー４４は空隙部ｆに収納されることによって位置が規制されるため、無線ホルダ５１と無線モジュール５０との間の離間距離ｇが確実に確保され、前記第２の課題が解決される。すなわち、マイクワイヤー４４に対し、無線モジュール５０が放射する無線通信用電波の影響により音声信号が劣化するのを抑制することができる。
【００４２】
図１７（Ａ）は、図１５の状態からサイドカバー９０とレリーズノブ９２及びボトムカバー８０を取り付けた状態を示す。尚、分かりやすくするために、サイドカバー９０は図中左側半分を切り取った状態で示している。また、ボトムカバー８０については、スタンド凹部８０１が見える位置にて切断して断面を示す。レリーズノブ９２は、撮像装置の側面に沿う方向に長く形成されているので、撮影者が撮像装置の側面に親指を沿わせてレリーズノブ９２を操作する際の操作性が向上する。
図１７（Ｂ）は、図１７（Ａ）の状態を撮像装置の底面側から見た場合の底面図である。撮影者は親指Ｏでレリーズノブ９２を図中の矢印方向に操作する。レリーズノブ９２は図中の矢印方向に移動し、レリーズスイッチ３１１がオン動作する。レリーズスイッチ３１１がオン動作すると、主基板部３の本体制御部は撮影画像の記録動作を行う。図１７（Ｂ）に示すように、無線モジュール５０のアンテナ部５０１の位置では、撮像装置の底面側にて、撮影者の把持手がかかることなく、撮像装置の底面側に向かって露出している。
このように、撮像装置の一側面部に配置されるレリーズノブ９２に対し、その近傍の底面側においてアンテナ部５０１を底面側に向けて実装した無線モジュール５０が配置されるので、撮影者の把持手によりアンテナ部５０１が覆われることなく撮影を行える。
【００４３】
本実施形態によれば、広角撮影が可能な小型撮像装置において、前述した無線通信部５の配置および構成により、撮影者が撮像装置を把持した状態でも、ケラレの発生を回避しつつ、良好な無線通信を実現できる。よって、撮影者は、無線機能を使用しながら撮影できるので利便性が高まる。
【符号の説明】
【００４４】
１‥‥レンズ部
２‥‥センサ部
３‥‥主基板部
３１１‥‥レリーズスイッチ（操作スイッチ）
４２，４３‥‥マイク
４４‥‥マイクワイヤー（配線部材）
５‥‥無線通信部
５０‥‥無線モジュール
５０１‥‥アンテナ部
５１‥‥無線ホルダ
５２‥‥保持板金
９２‥‥レリーズノブ（操作部材）
【図１】
2015023296.tif 000003
【図２】
2015023296.tif 000004
【図３】
2015023296.tif 000005
【図４】
2015023296.tif 000006
【図５】
2015023296.tif 000007
【図６】
2015023296.tif 000008
【図７】
2015023296.tif 000009
【図８】
2015023296.tif 000010
【図９】
2015023296.tif 000011
【図１０】
2015023296.tif 000012
【図１１】
2015023296.tif 000013
【図１２】
2015023296.tif 000014
【図１３】
2015023296.tif 000015
【図１４】
2015023296.tif 000016
【図１５】
2015023296.tif 000017
【図１６】
2015023296.tif 000018
【図１７】
2015023296.tif 000019
【図１８】
2015023296.tif 000020